(57)【要約】【課題】情報端末で画像処理装置をリモート制御する構成において、情報端末に表示される表示画面に対する操作性や表示画面の視認性を向上することのできる画像処理装置、情報端末、プログラム及び連携表示システムを提供する。【解決手段】情報端末３ｂのユーザが情報端末３ａのユーザと同一のユーザであると判断すると、リモート操作画面生成部１９は、リモート操作画面Ｇ２の表示領域ｇ１内の画面構成要素と表示領域ｇ２内の画面構成要素とに分割し、表示領域ｇ１内の画面構成要素からなる分割操作画面Ｇ３を情報端末３ａ用のリモート操作画面とし、表示領域ｇ２内の画面構成要素からなる分割操作画面Ｇ４を情報端末３ｂ用のリモート操作画面として生成する。【選択図】図６
2014197361.tif 000002
【特許請求の範囲】
【請求項１】
複数の情報端末と通信可能な画像処理装置であって、
情報端末との通信開始時に、当該情報端末から認証情報を取得してユーザ認証を行い、該ユーザ認証で特定される認証ユーザによるログイン状態へと移行させるユーザ認証手段と、
前記ユーザ認証手段により認証ユーザによるログイン状態へと移行した場合に、該認証ユーザに対応するリモート操作画面を生成し、前記情報端末に送信するリモート操作画面生成手段と
を備え、
前記ユーザ認証手段は、一の情報端末との通信によって認証ユーザによるログイン状態へと移行させた後、他の情報端末との通信によって認証情報を取得すると、該認証情報に基づき、当該他の情報端末を使用するユーザが前記一の情報端末を使用する認証ユーザと同一ユーザであるか否かを判断し、
前記リモート操作画面生成手段は、前記一の情報端末を使用する認証ユーザと前記他の情報端末を使用するユーザとが同一ユーザであると判断されることに伴い、当該認証ユーザに対応する前記リモート操作画面に含まれる画面構成要素を分割してそれぞれ異なる画面内容を表示する複数の分割操作画面を生成して前記一の情報端末と前記他の情報端末とのそれぞれに送信する画像処理装置。
【請求項２】
前記ユーザ認証手段により特定された認証ユーザを識別するための一時的な識別情報を生成し、該識別情報を前記一の情報端末に送信する識別情報生成手段を更に備え、
前記ユーザ認証手段は、一の情報端末との通信によって認証ユーザによるログイン状態へと移行させた後、他の情報端末との通信によって前記識別情報を含む認証情報を取得すると、当該他の情報端末を使用するユーザが前記一の情報端末を使用する認証ユーザと同一ユーザであると判断する請求項１に記載の画像処理装置。
【請求項３】
前記リモート操作画面生成手段は、前記一の情報端末又は前記他の情報端末から前記分割操作画面に対する操作情報を受信した場合、前記一の情報端末と前記他の情報端末とのそれぞれに送信する分割操作画面を当該操作情報に基づいて更新する請求項１又は２に記載の画像処理装置。
【請求項４】
各種操作画面を表示してユーザがタッチ操作可能なタッチパネルと、前記タッチパネルの周囲に配置されユーザがキー操作可能な押しボタンキーとを含む操作パネルを更に備え、
前記リモート操作画面生成手段は、複数の分割操作画面を生成する際、前記操作パネルにおいて前記タッチパネルに表示される操作画面に基づいて第１の分割操作画面を生成し、前記操作パネルに配置された前記押しボタンキーに基づいて第２の分割操作画面を生成する請求項１乃至３の何れか一項に記載の画像処理装置。
【請求項５】
前記リモート操作画面生成手段は、複数の分割操作画面を生成する際、文字列の入力状況を表示する文字列入力画面に基づいて第１の分割操作画面を生成し、前記文字列入力画面に文字列を入力するためのキーボード画面に基づいて第２の分割操作画面を生成する請求項１乃至３の何れか一項に記載の画像処理装置。
【請求項６】
前記リモート操作画面生成手段は、複数の分割操作画面を生成する際、ユーザによって指定された画像のプレビュー表示画面に基づいて第１の分割操作画面を生成し、前記プレビュー表示画面に表示された画像に対する画像処理の設定を行うための画像処理設定画面に基づいて第２の分割操作画面を生成する請求項１乃至３の何れか一項に記載の画像処理装置。
【請求項７】
前記リモート操作画面生成手段は、複数の分割操作画面を生成する際、所定の記憶手段に格納されたファイルのリストに基づいて第１の分割操作画面を生成し、前記リストの中から選択されたファイルの内容表示画面に基づいて第２の分割操作画面を生成する請求項１乃至３の何れか一項に記載の画像処理装置。
【請求項８】
前記一の情報端末が他の通信機器に処理を要求しているとき、当該画像処理装置が前記他の通信機器にアクセスするためのアクセス情報を前記一の情報端末から取得するアクセス情報取得手段と、
前記アクセス情報取得手段により取得されたアクセス情報に基づき前記他の通信機器にアクセスし、前記一の情報端末から前記他の通信機器に要求されている処理を自身に移管して実行する処理実行手段と
を備え、
前記リモート操作画面生成手段は、複数の分割操作画面を生成する際、前記処理実行手段により実行される処理の処理状況に基づいて第１の分割操作画面を生成し、該処理に係る処理データに基づいて第２の分割操作画面を生成する請求項１乃至３の何れか一項に記載の画像処理装置。
【請求項９】
第１及び第２の情報端末のうちいずれか一方の端末において当該一方の情報端末との通信を切断する指示が入力されると、他方の情報端末との通信の切断要否を確認する確認手段と、
前記確認手段による確認結果が前記通信の切断が必要である旨のものであるとき、前記一方の情報端末との通信を切断するとともに、前記他方の情報端末との通信を切断する切断手段と
を備える請求項１乃至８の何れか一項に記載の画像処理装置。
【請求項１０】
画像処理装置と通信可能な情報端末であって、
画像処理装置との通信開始時に、当該画像処理装置に認証情報を送信するログイン要求手段と、
前記ログイン要求手段による前記認証情報の送信に伴って画像処理装置から送信される一時的な識別情報を受信する識別情報受信手段と、
前記識別情報受信手段により受信された識別情報を他の情報端末に送信する識別情報送信手段と、
前記ログイン要求手段による前記認証情報の送信に伴って当該画像処理装置から該認証ユーザに対応するリモート操作画面が送信されると、該リモート操作画面を受信するリモート操作画面受信手段と、
前記リモート操作画面受信手段により受信されたリモート操作画面を表示するリモート操作画面表示手段と
を備え、
前記リモート操作画面受信手段は、前記識別情報送信手段による前記識別情報の送信後、前記リモート操作画面に含まれる画面構成要素を分割してなる複数の分割操作画面のうち一の分割操作画面を画像処理装置から受信し、
前記リモート操作画面表示手段は、前記リモート操作画面受信手段により受信された前記一の分割操作画面を表示する情報端末。
【請求項１１】
画像処理装置と通信可能な情報端末であって、
前記画像処理装置に対してログイン状態に移行させる要求を行った他の情報端末が前記画像処理装置から受信した一時的な識別情報を該他の情報端末から受信する識別情報受信手段と、
画像処理装置との通信開始時に、当該画像処理装置に前記識別情報を送信するログイン状態へと移行させる要求を行うログイン要求手段と、
前記ログイン要求手段による前記識別情報の送信後、前記他の情報端末で表示されているリモート操作画面の画面構成要素を分割してなる複数の分割操作画面のうち一の分割操作画面を前記画像処理装置から受信するリモート操作画面受信手段と、
前記リモート操作画面受信手段により受信された前記一の分割操作画面を表示するリモート操作画面表示手段と
を備える情報端末。
【請求項１２】
複数の情報端末と通信可能な画像処理装置を動作させるためのプログラムであって、
前記画像処理装置を、
情報端末との通信開始時に、当該情報端末から認証情報を取得してユーザ認証を行い、該ユーザ認証で特定される認証ユーザによるログイン状態へと移行させるユーザ認証手段、
前記ユーザ認証手段により認証ユーザによるログイン状態へと移行した場合に、該認証ユーザに対応するリモート操作画面を生成し、前記情報端末に送信するリモート操作画面生成手段
として機能させ、
前記ユーザ認証手段を、一の情報端末との通信によって認証ユーザによるログイン状態へと移行させた後、他の情報端末との通信によって認証情報を取得すると、該認証情報に基づき、当該他の情報端末を使用するユーザが前記一の情報端末を使用する認証ユーザと同一ユーザであるか否かを判断するものとして機能させ、
前記リモート操作画面生成手段を、前記一の情報端末を使用する認証ユーザと前記他の情報端末を使用するユーザとが同一ユーザであると判断されることに伴い、当該認証ユーザに対応する前記リモート操作画面に含まれる画面構成要素を分割してそれぞれ異なる画面内容を表示する複数の分割操作画面を生成して前記一の情報端末と前記他の情報端末とのそれぞれに送信するものとして機能させるためのプログラム。
【請求項１３】
表示手段を備え、画像処理装置と通信可能な情報端末を動作させるためのプログラムであって、
前記情報端末を、
画像処理装置との通信開始時に、当該画像処理装置に認証情報を送信するログイン要求手段、
前記ログイン要求手段による前記認証情報の送信に伴って画像処理装置から送信される一時的な識別情報を受信する識別情報受信手段、
前記識別情報受信手段により受信された識別情報を他の情報端末に送信する識別情報送信手段、
前記ログイン要求手段による前記認証情報の送信に伴って当該画像処理装置から該認証ユーザに対応するリモート操作画面が送信されると、該リモート操作画面を受信するリモート操作画面受信手段、
前記リモート操作画面受信手段により受信されたリモート操作画面を前記表示手段に表示させるリモート操作画面表示制御手段
として機能させ、
前記リモート操作画面受信手段を、前記識別情報送信手段による前記識別情報の送信後、前記リモート操作画面に含まれる画面構成要素を分割してなる複数の分割操作画面のうち一の分割操作画面を画像処理装置から受信するものとして機能させ、
前記リモート操作画面表示制御手段を、前記リモート操作画面受信手段により受信された前記一の分割操作画面を前記表示手段に表示させるものとして機能させるためのプログラム。
【請求項１４】
表示手段を備え、画像処理装置と通信可能な情報端末を動作させるためのプログラムであって、
前記情報端末を、
前記画像処理装置に対してログイン状態に移行させる要求を行った他の情報端末が前記画像処理装置から受信した一時的な識別情報を該他の情報端末から受信する識別情報受信手段、
画像処理装置との通信開始時に、当該画像処理装置に前記識別情報を送信するログイン状態へと移行させる要求を行うログイン要求手段、
前記ログイン要求手段による前記識別情報の送信後、前記他の情報端末で表示されているリモート操作画面の画面構成要素を分割してなる複数の分割操作画面のうち一の分割操作画面を前記画像処理装置から受信するリモート操作画面受信手段、
前記リモート操作画面受信手段により受信された前記一の分割操作画面を表示するリモート操作画面表示手段
として機能させるためのプログラム。
【請求項１５】
複数の情報端末と画像処理装置とが通信可能に構成された連携表示システムであって、
前記情報端末は、画像処理装置との通信開始時に、当該画像処理装置に認証情報を送信するログイン要求手段を備え、
前記画像処理装置は、
情報端末との通信開始時に、当該情報端末から認証情報を取得してユーザ認証を行い、該ユーザ認証で特定される認証ユーザによるログイン状態へと移行させるユーザ認証手段と、
前記ユーザ認証手段により認証ユーザによるログイン状態へと移行した場合に、該認証ユーザに対応するリモート操作画面を生成し、前記情報端末に送信するリモート操作画面生成手段と
を備え、
前記ユーザ認証手段は、一の情報端末との通信によって認証ユーザによるログイン状態へと移行させた後、他の情報端末との通信によって認証情報を取得すると、該認証情報に基づき、当該他の情報端末を使用するユーザが前記一の情報端末を使用する認証ユーザと同一ユーザであるか否かを判断し、
前記リモート操作画面生成手段は、前記一の情報端末を使用する認証ユーザと前記他の情報端末を使用するユーザとが同一ユーザであると判断されることに伴い、当該認証ユーザに対応する前記リモート操作画面に含まれる画面構成要素を分割してそれぞれ異なる画面内容を表示する複数の分割操作画面を生成して前記一の情報端末と前記他の情報端末とのそれぞれに送信し、
前記情報端末は、前記画像処理装置から受信したリモート操作画面及び分割操作画面を表示する表示手段を備える連携表示システム。
【発明の詳細な説明】
【技術分野】
【０００１】
本発明は、複数の情報端末と画像処理装置との通信に係る技術分野に属する。
【背景技術】
【０００２】
プリント機能やスキャン機能を備えたＭＦＰ（Multi-Function Peripherals）などと呼ばれる画像処理装置は、一般にネットワークに接続された状態で使用され、文書データなどの各種データを送受信することができる。例えば、画像処理装置は、スキャン機能によって読み取った画像データをネットワーク経由でサーバなどに送信することが可能である。
【０００３】
従来、この種の画像処理装置をネットワークに接続されたコンピュータから遠隔操作するための技術が、例えば下記特許文献１に開示されている。下記特許文献１は、一のユーザが画像形成装置をコンピュータで遠隔操作している間であっても、他のユーザがその画像形成装置に対する直接操作を行えるようにすることを目的とする技術を開示しており、画像形成装置が、直接操作に基づく処理と遠隔操作に基づく処理とを並行して実行可能であると判断すると、遠隔操作を可能にするための設定が行われてから当該設定が解除されるまでの間でも、直接操作を受け付けて処理を実行する点が記載されている。特許文献１に開示されているように、コンピュータを用いて画像形成装置を遠隔操作する場合、例えば画像形成装置の操作パネルと同様のユーザインタフェースを表示画面としてコンピュータのディスプレイに表示すれば操作性が向上する。
【先行技術文献】
【特許文献】
【０００４】
【特許文献１】特開２００９−２０６５４８号公報
【発明の概要】
【発明が解決しようとする課題】
【０００５】
一方、近年においてはタブレット端末やスマートフォンなどの携帯型情報端末の普及が著しい。この種の情報端末は、ＬＡＮ（Local Area Network）やＷＡＮ（Wide Area Network）、或いは公衆電話網などのネットワークに無線接続する機能を備える。そのため、情報端末と画像処理装置とが通信を行うことにより、例えば情報端末と画像処理装置とを互いに連携させて、情報端末で画像処理装置をリモート制御することも可能である。この場合、情報端末において画像処理装置の操作パネルと同様のユーザインタフェースを表示画面として表示することも可能である。
【０００６】
ところで、携帯型情報端末の中には、例えばスマートフォンなどのように携帯性の観点から小型化されているものがある。このような携帯型情報端末にあっては表示画面が小さく、該表示画面に表示される文字や画像も小さい。そのため、画像形成装置の操作パネルと同様のインタフェースを一画面として表示すると文字や画像が非常に小さくなることから、表示内容の詳細確認や画面操作がとりわけ行い難いという問題があった。また、文字や画像の縮小化を回避するため、一画面内に含まれる様々な画面構成要素を互いに一部重ねた状態で表示することも考えられる。しかし、その場合は重複部分の情報が隠れてしまうため、依然として画面操作が行い難いという課題が残る。
【０００７】
本発明は、このような課題に鑑みてなされたものであり、情報端末で画像処理装置をリモート制御する構成において、情報端末に表示される表示画面に対する操作性や表示画面の視認性を向上することのできる画像処理装置、情報端末、プログラム及び連携表示システムを提供することを目的とする。
【課題を解決するための手段】
【０００８】
前記目的を達成するため、請求項１に記載の発明は、複数の情報端末と通信可能な画像処理装置であって、情報端末との通信開始時に、当該情報端末から認証情報を取得してユーザ認証を行い、該ユーザ認証で特定される認証ユーザによるログイン状態へと移行させるユーザ認証手段と、前記ユーザ認証手段により認証ユーザによるログイン状態へと移行した場合に、該認証ユーザに対応するリモート操作画面を生成し、前記情報端末に送信するリモート操作画面生成手段とを備え、前記ユーザ認証手段は、一の情報端末との通信によって認証ユーザによるログイン状態へと移行させた後、他の情報端末との通信によって認証情報を取得すると、該認証情報に基づき、当該他の情報端末を使用するユーザが前記一の情報端末を使用する認証ユーザと同一ユーザであるか否かを判断し、前記リモート操作画面生成手段は、前記一の情報端末を使用する認証ユーザと前記他の情報端末を使用するユーザとが同一ユーザであると判断されることに伴い、当該認証ユーザに対応する前記リモート操作画面に含まれる画面構成要素を分割してそれぞれ異なる画面内容を表示する複数の分割操作画面を生成して前記一の情報端末と前記他の情報端末とのそれぞれに送信するものである。
【０００９】
請求項２に記載の発明は、請求項１に記載の画像処理装置において、前記ユーザ認証手段により特定された認証ユーザを識別するための一時的な識別情報を生成し、該識別情報を前記一の情報端末に送信する識別情報生成手段を更に備え、前記ユーザ認証手段は、一の情報端末との通信によって認証ユーザによるログイン状態へと移行させた後、他の情報端末との通信によって前記識別情報を含む認証情報を取得すると、当該他の情報端末を使用するユーザが前記一の情報端末を使用する認証ユーザと同一ユーザであると判断するものである。
【００１０】
請求項３に記載の発明は、請求項１又は２に記載の画像処理装置において、前記リモート操作画面生成手段は、前記一の情報端末又は前記他の情報端末から前記分割操作画面に対する操作情報を受信した場合、前記一の情報端末と前記他の情報端末とのそれぞれに送信する分割操作画面を当該操作情報に基づいて更新するものである。
【００１１】
請求項４に記載の発明は、請求項１乃至３の何れか一項に記載の画像処理装置において、各種操作画面を表示してユーザがタッチ操作可能なタッチパネルと、前記タッチパネルの周囲に配置されユーザがキー操作可能な押しボタンキーとを含む操作パネルを更に備え、前記リモート操作画面生成手段は、複数の分割操作画面を生成する際、前記操作パネルにおいて前記タッチパネルに表示される操作画面に基づいて第１の分割操作画面を生成し、前記操作パネルに配置された前記押しボタンキーに基づいて第２の分割操作画面を生成するものである。
【００１２】
請求項５に記載の発明は、請求項１乃至３の何れか一項に記載の画像処理装置において、前記リモート操作画面生成手段は、複数の分割操作画面を生成する際、文字列の入力状況を表示する文字列入力画面に基づいて第１の分割操作画面を生成し、前記文字列入力画面に文字列を入力するためのキーボード画面に基づいて第２の分割操作画面を生成するものである。
【００１３】
請求項６に記載の発明は、請求項１乃至３の何れか一項に記載の画像処理装置において、前記リモート操作画面生成手段は、複数の分割操作画面を生成する際、ユーザによって指定された画像のプレビュー表示画面に基づいて第１の分割操作画面を生成し、前記プレビュー表示画面に表示された画像に対する画像処理の設定を行うための画像処理設定画面に基づいて第２の分割操作画面を生成するものである。
【００１４】
請求項７に記載の発明は、請求項１乃至３の何れか一項に記載の画像処理装置において、前記リモート操作画面生成手段は、複数の分割操作画面を生成する際、所定の記憶手段に格納されたファイルのリストに基づいて第１の分割操作画面を生成し、前記リストの中から選択されたファイルの内容表示画面に基づいて第２の分割操作画面を生成するものである。
【００１５】
請求項８に記載の発明は、請求項１乃至３の何れか一項に記載の画像処理装置において、前記一の情報端末が他の通信機器に処理を要求しているとき、当該画像処理装置が前記他の通信機器にアクセスするためのアクセス情報を前記一の情報端末から取得するアクセス情報取得手段と、前記アクセス情報取得手段により取得されたアクセス情報に基づき前記他の通信機器にアクセスし、前記一の情報端末から前記他の通信機器に要求されている処理を自身に移管して実行する処理実行手段とを備え、前記リモート操作画面生成手段は、複数の分割操作画面を生成する際、前記処理実行手段により実行される処理の処理状況に基づいて第１の分割操作画面を生成し、該処理に係る処理データに基づいて第２の分割操作画面を生成するものである。
【００１６】
請求項９に記載の発明は、請求項１乃至８の何れか一項に記載の画像処理装置において、第１及び第２の情報端末のうちいずれか一方の端末において当該一方の情報端末との通信を切断する指示が入力されると、他方の情報端末との通信の切断要否を確認する確認手段と、前記確認手段による確認結果が前記通信の切断が必要である旨のものであるとき、前記一方の情報端末との通信を切断するとともに、前記他方の情報端末との通信を切断する切断手段とを備えるものである。
【００１７】
請求項１０に記載の発明は、画像処理装置と通信可能な情報端末であって、画像処理装置との通信開始時に、当該画像処理装置に認証情報を送信するログイン要求手段と、前記ログイン要求手段による前記認証情報の送信に伴って画像処理装置から送信される一時的な識別情報を受信する識別情報受信手段と、前記識別情報受信手段により受信された識別情報を他の情報端末に送信する識別情報送信手段と、前記ログイン要求手段による前記認証情報の送信に伴って当該画像処理装置から該認証ユーザに対応するリモート操作画面が送信されると、該リモート操作画面を受信するリモート操作画面受信手段と、前記リモート操作画面受信手段により受信されたリモート操作画面を表示するリモート操作画面表示手段とを備え、前記リモート操作画面受信手段は、前記識別情報送信手段による前記識別情報の送信後、前記リモート操作画面に含まれる画面構成要素を分割してなる複数の分割操作画面のうち一の分割操作画面を画像処理装置から受信し、前記リモート操作画面表示手段は、前記リモート操作画面受信手段により受信された前記一の分割操作画面を表示するものである。
【００１８】
請求項１１に記載の発明は、画像処理装置と通信可能な情報端末であって、前記画像処理装置に対してログイン状態に移行させる要求を行った他の情報端末が前記画像処理装置から受信した一時的な識別情報を該他の情報端末から受信する識別情報受信手段と、画像処理装置との通信開始時に、当該画像処理装置に前記識別情報を送信するログイン状態へと移行させる要求を行うログイン要求手段と、前記ログイン要求手段による前記識別情報の送信後、前記他の情報端末で表示されているリモート操作画面の画面構成要素を分割してなる複数の分割操作画面のうち一の分割操作画面を前記画像処理装置から受信するリモート操作画面受信手段と、前記リモート操作画面受信手段により受信された前記一の分割操作画面を表示するリモート操作画面表示手段とを備えるものである。
【００１９】
請求項１２に記載の発明は、複数の情報端末と通信可能な画像処理装置を動作させるためのプログラムであって、前記画像処理装置を、情報端末との通信開始時に、当該情報端末から認証情報を取得してユーザ認証を行い、該ユーザ認証で特定される認証ユーザによるログイン状態へと移行させるユーザ認証手段、前記ユーザ認証手段により認証ユーザによるログイン状態へと移行した場合に、該認証ユーザに対応するリモート操作画面を生成し、前記情報端末に送信するリモート操作画面生成手段として機能させ、前記ユーザ認証手段を、一の情報端末との通信によって認証ユーザによるログイン状態へと移行させた後、他の情報端末との通信によって認証情報を取得すると、該認証情報に基づき、当該他の情報端末を使用するユーザが前記一の情報端末を使用する認証ユーザと同一ユーザであるか否かを判断するものとして機能させ、前記リモート操作画面生成手段を、前記一の情報端末を使用する認証ユーザと前記他の情報端末を使用するユーザとが同一ユーザであると判断されることに伴い、当該認証ユーザに対応する前記リモート操作画面に含まれる画面構成要素を分割してそれぞれ異なる画面内容を表示する複数の分割操作画面を生成して前記一の情報端末と前記他の情報端末とのそれぞれに送信するものとして機能させるためのプログラムである。
【００２０】
請求項１３に記載の発明は、表示手段を備え、画像処理装置と通信可能な情報端末を動作させるためのプログラムであって、前記情報端末を、画像処理装置との通信開始時に、当該画像処理装置に認証情報を送信するログイン要求手段、前記ログイン要求手段による前記認証情報の送信に伴って画像処理装置から送信される一時的な識別情報を受信する識別情報受信手段、前記識別情報受信手段により受信された識別情報を他の情報端末に送信する識別情報送信手段、前記ログイン要求手段による前記認証情報の送信に伴って当該画像処理装置から該認証ユーザに対応するリモート操作画面が送信されると、該リモート操作画面を受信するリモート操作画面受信手段、前記リモート操作画面受信手段により受信されたリモート操作画面を前記表示手段に表示させるリモート操作画面表示制御手段として機能させ、前記リモート操作画面受信手段を、前記識別情報送信手段による前記識別情報の送信後、前記リモート操作画面に含まれる画面構成要素を分割してなる複数の分割操作画面のうち一の分割操作画面を画像処理装置から受信するものとして機能させ、前記リモート操作画面表示制御手段を、前記リモート操作画面受信手段により受信された前記一の分割操作画面を前記表示手段に表示させるものとして機能させるためのプログラムである。
【００２１】
請求項１４に記載の発明は、表示手段を備え、画像処理装置と通信可能な情報端末を動作させるためのプログラムであって、前記情報端末を、前記画像処理装置に対してログイン状態に移行させる要求を行った他の情報端末が前記画像処理装置から受信した一時的な識別情報を該他の情報端末から受信する識別情報受信手段、画像処理装置との通信開始時に、当該画像処理装置に前記識別情報を送信するログイン状態へと移行させる要求を行うログイン要求手段、前記ログイン要求手段による前記識別情報の送信後、前記他の情報端末で表示されているリモート操作画面の画面構成要素を分割してなる複数の分割操作画面のうち一の分割操作画面を前記画像処理装置から受信するリモート操作画面受信手段、前記リモート操作画面受信手段により受信された前記一の分割操作画面を表示するリモート操作画面表示手段として機能させるためのプログラムである。
【００２２】
請求項１５に記載の発明は、複数の情報端末と画像処理装置とが通信可能に構成された連携表示システムであって、前記情報端末は、画像処理装置との通信開始時に、当該画像処理装置に認証情報を送信するログイン要求手段を備え、前記画像処理装置は、情報端末との通信開始時に、当該情報端末から認証情報を取得してユーザ認証を行い、該ユーザ認証で特定される認証ユーザによるログイン状態へと移行させるユーザ認証手段と、前記ユーザ認証手段により認証ユーザによるログイン状態へと移行した場合に、該認証ユーザに対応するリモート操作画面を生成し、前記情報端末に送信するリモート操作画面生成手段とを備え、前記ユーザ認証手段は、一の情報端末との通信によって認証ユーザによるログイン状態へと移行させた後、他の情報端末との通信によって認証情報を取得すると、該認証情報に基づき、当該他の情報端末を使用するユーザが前記一の情報端末を使用する認証ユーザと同一ユーザであるか否かを判断し、前記リモート操作画面生成手段は、前記一の情報端末を使用する認証ユーザと前記他の情報端末を使用するユーザとが同一ユーザであると判断されることに伴い、当該認証ユーザに対応する前記リモート操作画面に含まれる画面構成要素を分割してそれぞれ異なる画面内容を表示する複数の分割操作画面を生成して前記一の情報端末と前記他の情報端末とのそれぞれに送信し、前記情報端末は、前記画像処理装置から受信したリモート操作画面及び分割操作画面を表示する表示手段を備えるものである。
【発明の効果】
【００２３】
本発明によれば、一の情報端末との通信によって認証ユーザによるログイン状態へと移行させた後、他の情報端末との通信によって認証情報を取得すると、該認証情報に基づき、当該他の情報端末を使用するユーザが前記一の情報端末を使用する認証ユーザと同一ユーザであるか否かを判断し、同一ユーザであると判断されることに伴い、当該認証ユーザに対応する前記リモート操作画面に含まれる画面構成要素を分割してそれぞれ異なる画面内容を表示する複数の分割操作画面を生成して前記一の情報端末と前記他の情報端末とのそれぞれに送信する。
【００２４】
これにより、各情報端末に表示される表示画面の画面構成要素を、一の情報端末がログイン状態に移行する前に該情報端末で表示されるリモート操作画面の画面構成要素に比して大きく表示することができる。よって、情報端末に表示される表示画面に対する操作性や画面の視認性を向上することができる。
【図面の簡単な説明】
【００２５】
【図１】連携表示システムの第１の実施形態の構成を示す概念図である。
【図２】第１の実施形態に係る連携表示システムの画像処理装置の構成を示す図である。
【図３】操作パネルの表示部に表示される操作パネル画面の一例を示す図である。
【図４】操作パネルの表示部に表示される操作パネル画面の一例を示す図である。
【図５】操作パネルの表示部に表示される操作パネル画面の一例を示す図である。
【図６】非連携状態で情報端末に表示されるリモート操作画面の一例を示す図である。
【図７】非連携状態で情報端末に表示されるリモート操作画面の一例を示す図である。
【図８】非連携状態で情報端末に表示されるリモート操作画面の一例を示す図である。
【図９】連携状態において各情報端末に表示される分割操作画面の一例を示す図である。
【図１０】連携状態において各情報端末に表示される分割操作画面の一例を示す図である。
【図１１】連携状態において各情報端末に表示される分割操作画面の一例を示す図である。
【図１２】連携状態において一方の情報端末に表示されている分割操作画面に対して操作が行われた場合の各情報端末の表示の連携を説明するための図である。
【図１３】第１の実施形態に係る連携表示システムの情報端末の構成を示す図である。
【図１４】第１の実施形態において、画像処理装置及び各情報端末で行われる処理手順を示すプロセス図である。
【図１５】第１の実施形態に係る連携表示システムの画像処理装置で行われる処理手順を示すフローチャートである。
【図１６】第１の実施形態に係る連携表示システムにおいて、先のログイン時に用いられた方の情報端末で行われる処理手順を示すフローチャートである。
【図１７】第１の実施形態に係る連携表示システムにおいて、後のログイン時に用いられた方の情報端末で行われる処理手順を示すフローチャートである。
【図１８】連携表示システムの第２の実施形態の構成を示す概念図である。
【図１９】図１８に示す連携表示システムの画像処理装置の構成を示す図である。
【図２０】図１８に示す連携表示システムにおいて非連携状態で生成されるリモート操作画面の一例を示す図である。
【図２１】連携状態において各情報端末に表示される分割操作画面の一例を示す図である。
【図２２】図１８に示す連携表示システムの情報端末の構成を示す図である。
【図２３】図１８に示す連携表示システムのサーバの構成を示す図である。
【図２４】第２の実施形態において、画像処理装置、各情報端末及びサーバで行われる処理手順を示すプロセス図である。
【図２５】第２の実施形態において、画像処理装置、各情報端末及びサーバで行われる処理手順を示すプロセス図である。
【図２６】第２の実施形態に係る連携表示システムの画像処理装置で行われる処理手順を示すフローチャートである。
【図２７】第２の実施形態に係る連携表示システムにおいて、サーバで行われる処理手順を示すフローチャートである。
【図２８】第３の実施形態において、一方の情報端末においてログアウト指示がユーザにより入力された場合に、他方の情報端末もログアウトするか否かをユーザに確認するための確認画面の一例を示す図である。
【図２９】第３の実施形態において、画像処理装置及び各情報端末で行われる処理手順を示すフローチャートである。
【発明を実施するための形態】
【００２６】
以下、本発明に関する好ましい実施形態について図面を参照しつつ詳細に説明する。なお、以下に説明する実施形態において互いに共通する部材には同一符号を付しており、それらについての重複する説明は省略する。
【００２７】
（第１の実施形態）
図１は、連携表示システム１の一構成例を示す概念図である。図１に示す連携表示システム１は、ＭＦＰなどで構成される画像処理装置２と、ユーザが普段携帯して使用している複数の情報端末３とを備えて構成されている。本実施形態では、画像処理装置２と情報端末３のそれぞれがネットワークを介して相互にアクセスすることが可能となっている。ネットワークは、ＬＡＮやＷＡＮ、或いは公衆電話網やインターネット網などを含むネットワークである。
【００２８】
画像処理装置２は、ネットワークを介してデータ通信を行う機能を有する他、スキャン機能、プリント機能及びＢＯＸ機能などの複数の機能を備えている。スキャン機能は、画像処理装置２の例えば装置本体５上部に設けられた画像読取部６を駆動して原稿の読み取り動作を行い、その読み取り動作で得られた画像ファイル（スキャン画像ファイル）を生成する機能である。プリント機能は、画像処理装置２の例えば装置本体５中央部に設けられた画像形成部７を駆動して印刷出力を行う機能である。ＢＯＸ機能は、後述する記憶領域（フォルダ）に各種データを記憶しておく機能であり、例えばスキャン機能により得られたスキャン画像ファイルを記憶したり、ネットワークを介して受信した受信データを記憶したりする。
【００２９】
これらのスキャン機能、プリント機能及びＢＯＸ機能は、ネットワークを介して行うデータ通信機能と連動することも可能である。例えば、スキャン機能の場合は、原稿を読み取って生成したスキャン画像ファイルをデータ通信機能によって外部に送信することが可能である。また、プリント機能の場合は、データ通信機能によって外部から取得される画像ファイルに基づき印刷出力を行うことが可能である。このような画像処理装置２は、例えばオフィスなどに設置される場合、複数のユーザによって共有して利用され得る。
【００３０】
また、画像処理装置２は、例えば装置本体の正面側に、ユーザが画像処理装置２を操作する際のユーザインタフェースとなる操作パネル８を備えている。画像処理装置２は、この操作パネル８に対して行われるユーザの指示入力操作に基づき、上述した複数の機能のうちの少なくとも１つを動作させ、ユーザによって指定されたジョブを実行する。
【００３１】
情報端末３は、通常一人のユーザによって占有して利用される装置であり、本実施形態では、タブレット端末やスマートフォン、或いはノート型パーソナルコンピュータなどで構成される可搬型の情報端末装置である。なお、以下の説明において情報端末３の個体を区別する必要があるときは、情報端末３ａ、情報端末３ｂと表すものとする。
【００３２】
情報端末３は、ネットワークを介して他の機器とデータ通信を行う機能（以下、ネットワーク通信機能という）と、他の装置がＮＦＣ（Near Field Communication）などにより自機から所定距離の範囲内にある場合に、当該他の装置との間で近距離無線通信を行う機能（近距離無線通信機能）との２つの無線による通信機能を有している。近距離無線通信により通信可能な所定距離は、例えば１ｍ以内の比較的短い距離である。
【００３３】
情報端末３は、通信機能の他、画像や操作画面を表示する表示機能を有している。これにより、ユーザは、情報端末３に格納されている画像や画像処理装置２に格納されている画像を閲覧したり、後述する各種操作画面に対して所望の操作を入力したりすることができる。
【００３４】
情報端末３は、様々なアプリケーションプログラム（以下、単にアプリケーションというものとする）をインストール可能であり、本実施形態では、画像処理装置２の動作を遠隔操作するための遠隔操作用アプリケーションがインストールされている。このアプリケーションを起動させると、後述するログイン認証を経て、画像処理装置２のユーザインタフェースである操作パネル８と同様の操作画面がリモート操作画面として情報端末３に表示される。ユーザは、このようなリモート操作画面に対する操作を行うことで、情報端末３を用いて画像処理装置２の動作を遠隔操作することができる。
【００３５】
さらに、本実施形態に係る連携表示システム１においては、一の情報端末３ａが画像処理装置２にログインした状態で、別の情報端末３ｂを用いて画像処理装置２にログインした場合に、その別の情報端末３ｂのユーザが、一の情報端末３ａのユーザと同一のユーザであることを画像処理装置２が認識したときには、画像処理装置２は、一の情報端末３ａの表示と別の情報端末３ｂの表示とを連携させる点に特徴を有している。
【００３６】
すなわち、画像処理装置２は、別の情報端末３ｂのユーザが、既にログイン状態に移行している一の情報端末３ａのユーザと同一のユーザであることを認識すると、一の情報端末３ａに表示させる表示画面と、別の情報端末３ｂに表示させる表示画面とを新たに生成する。ここで、各情報端末３ａ，３ｂに表示させる表示画面は、前述したリモート操作画面の画面構成要素を用いて生成される画面であって、それぞれ異なる画面である。具体的には、画像処理装置２は、リモート操作画面の画面構成要素を２つに分割し、一方の画面構成要素群からなる表示画面（第１の分割操作画面）と、他方の画面構成要素群からなる表示画面（第２の分割操作画面）とを、各情報端末３ａ，３ｂに表示させる表示画面として生成する。
【００３７】
そして、画像処理装置２は、第１の分割操作画面をリモート操作画面として情報端末３ａに、第２の分割操作画面をリモート操作画面として情報端末３ｂにそれぞれ表示させる。また、各情報端末３ａ，３ｂにおいて分割操作画面に対する操作が行われた場合には、画像処理装置２は、その操作に対応する処理を行うとともに、その操作に伴って必要となった分割操作画面の変更処理を行う。このように、画像処理装置２は、一の情報端末３ａの表示と別の情報端末３ｂの表示とを連携させる連携状態に設定する。
【００３８】
さらに、本実施形態では、情報端末３ｂのユーザが情報端末３ａのユーザと同一のユーザであることを画像処理装置２がどのようにして認識するかについては、次のような認識方法を採用している。
【００３９】
まず、一の情報端末３ａが画像処理装置２にログインすると、画像処理装置２は、その情報端末３ａに一時的なパスワード（識別情報）を与える。この一時的なパスワードは、当該情報端末３ａのユーザを識別するために発行され、そのユーザがログインしている期間中だけ有効となるパスワードである。その後、当該情報端末３ａは、遠隔操作用アプリケーションが起動している別の情報端末３ｂが近距離無線通信可能範囲に進入したことを検知すると、先に画像処理装置２から与えられた前述のパスワードをその近距離無線通信によって当該別の情報端末３ｂに送信（転送）する。当該別の情報端末３ｂは、このパスワードの送信により画像処理装置２にログイン要求する。画像処理装置２は、該パスワードに基づく認証処理を行って、認証に成功すると、当該別の情報端末３ｂのユーザは一の情報端末３ａのユーザと同一ユーザであると判断する。以下、このように構成された連携表示システム１の画像処理装置２及び情報端末３について説明する。
【００４０】
図２は、本実施形態に係る画像処理装置２の構成を示す図である。図２に示す画像処理装置２は、上述した画像読取部６及び画像形成部７の他に、操作パネル８と、ネットワーク通信インタフェース（Ｉ／Ｆ）部９と、記憶部１０と、制御部１１とを備えて構成される。
【００４１】
図３は、操作パネル８の構成図である。図３に示すように、操作パネル８は、表示部１２及び操作部１３を備える。表示部１２は、例えばカラー液晶ディスプレイなどで構成され、各種情報を表示する。操作部１３は、表示部１２の周囲に配置された各種の押しボタンキーや表示部１２の表示画面上に配置されるタッチパネルセンサーなどで構成され、画像処理装置２のユーザから操作入力を受け付ける。
【００４２】
図２に戻り、ネットワーク通信Ｉ／Ｆ部９は、制御部１１がネットワークを介してデータ通信を行う場合にその通信制御を行う処理部である。画像処理装置２がネットワークを介して他の通信機器に接続する場合、このネットワーク通信Ｉ／Ｆ部９を介してデータの送受信が行われる。
【００４３】
記憶部１０は、ハードディスクドライブ（ＨＤＤ）などで構成される不揮発性の記憶装置である。記憶部１０には、各種のアプリケーション１４を記憶する記憶領域や、文書ファイル１５などを記憶する記憶領域が設けられている。また、記憶部１０には、ログインＩＤ（Identification）やログインパスワードを含むユーザ情報も予め登録されている。なお、記憶部１０に登録されたユーザ情報をユーザ登録情報という。
【００４４】
制御部１１は、図示しないＣＰＵやメモリを備えて構成されている。ＣＰＵは、記憶部１０に記憶されている各種アプリケーション１４を実行するものである。メモリは、ＣＰＵがアプリケーション１４を実行することに伴って発生する一時的なデータなどを記憶するためのものである。制御部１１は、所定のアプリケーション１４を実行することで、操作パネル画面処理部１６、第１認証部１７、パスワード発行部１８、リモート操作画面生成部１９、情報通信部２０、第２認証部２１及びジョブ制御部２２として機能する。
【００４５】
操作パネル画面処理部１６は、操作パネル８の表示部１２に表示すべき操作パネル画面を生成するものである。図３に示す操作パネル画面Ｇ１は、操作パネル８の表示部１２に表示される初期画面の一例であり、例えば、スキャン機能やプリント機能等の各機能における詳細な設定を行うための操作キーを含む。
【００４６】
また、操作部１３がユーザの操作を検知した場合、操作パネル画面処理部１６は、その操作に応じた画面を操作パネル画面として表示部１２に表示する。操作パネル８の表示部１２に表示され得る操作パネル画面の他の例を図４，図５に示す。
【００４７】
図４に示す操作パネル画面Ｇ２は、文字列の入力状況を表示する文字列入力表示領域ｇ１と、文字列入力表示領域ｇ１に文字列を入力するためのキーボード表示領域ｇ２とを有している。この操作パネル画面Ｇ２においては、キーボード表示領域ｇ２に表示されるキーにタッチ操作することで、該キーに割り当てられた文字や記号が文字列入力表示領域ｇ１に表示される。
【００４８】
図５に示す操作パネル画面Ｇ３は、ユーザによって指定された画像のプレビュー表示領域ｇ３と、該プレビュー表示領域ｇ３に表示されたプレビュー画像に対する画像処理の設定を行うための画像処理設定表示領域ｇ４とが並列表示されている。
【００４９】
第１認証部１７は、例えばログインＩＤ及びログインパスワードを含む認証情報としてのユーザ情報が付加されたログイン要求を受信すると、そのユーザ情報に基づいてユーザ認証処理を行う。このユーザ認証処理に成功すると、第１認証部１７は、情報端末３のユーザを認証ユーザ（ログインユーザ）として画像処理装置２にログインしたログイン状態へと移行させる。
【００５０】
具体的には、第１認証部１７は、情報端末３ａからユーザ情報を受信すると、記憶部１０に記憶されているユーザ登録情報の中に、受信したユーザ情報と一致するユーザ登録情報が存在するか否かを判別することにより、情報端末３ａを使用しているユーザのユーザ認証処理を行う。その結果、第１認証部１７は、受信したユーザ情報が記憶部１０にユーザ登録情報として登録されていると判定し、ユーザ認証が成功すると、該ユーザ情報に対応するユーザを当該画像処理装置２にログインしたログイン状態へと移行させる。これにより、情報端末３ａを使用しているユーザは、該情報端末３ａを用いた遠隔操作によって、画像処理装置２に各種のジョブを実行させることができるようになる。
【００５１】
パスワード発行部１８は、情報端末３ａを使用するユーザをログイン状態に移行させると、前述した一時的なパスワードを発行して情報端末３ａに送信する識別情報生成手段として機能するものである。このパスワードは、その情報端末３ａのユーザが別の情報端末３ｂを用いて当該画像処理装置２にログインする際に必要となるパスワードである。本実施形態では、このパスワードとして、１回のログインに限って有効なワンタイムパスワードとされている。ただし、一時的なパスワードであればそれに限定されるものではない。
【００５２】
このような一時的なパスワードを用いることで、他人による情報端末３ｂの所謂なりすまし利用を防止することができる。すなわち、同一のパスワードが何度もログイン時に使用されると、該パスワードが情報端末３ａのユーザと全く関係の無い他人に漏洩する虞がある。パスワードが漏洩した場合、その他人が情報端末３ａのユーザになりすまし、該パスワードを用いて画像処理装置２にログインし情報端末３ｂを用いて該画像処理装置２を利用する事態が生じ得る。本実施形態では、一時的なパスワードを用いることでこのような事態が生じるのを防止することができ、連携表示システム１の良好なセキュリティを確保することができる。パスワード発行部１８は、発行したパスワードを記憶部１０に格納する。
【００５３】
リモート操作画面生成部１９は、情報端末３ａを使用するユーザが画像処理装置２にログインした状態に移行すると、認証ユーザの機能利用権限に基づいて、該情報端末３ａに表示させるリモート操作画面を生成するものである。ユーザが単一の情報端末３ａを用いて画像処理装置２にログインした場合のリモート操作画面の一例を図６に示す。
【００５４】
ユーザが単一の情報端末３ａを用いて画像処理装置２にログインした時点で操作パネル８に表示されている操作パネル画面が図３に示す初期画面である場合、リモート操作画面生成部１９は、図６に示すように、操作パネル８の表示部１２に表示される操作パネル画面Ｇ１と操作部１３の各種押しボタンキーとに基づく操作画面をリモート操作画面Ｇ４として生成する。したがって、リモート操作画面Ｇ４は、画像処理装置２の操作パネル８に表示される操作パネル画面Ｇ１の画面構成要素を含む表示領域ｇ５と、操作部１３の押しボタンキーに基づく画面構成要素を含む表示領域ｇ６とを備える。すなわち、操作パネル８が図３に示したように初期画面表示状態である場合、ユーザは、表示部１２に表示された初期画面Ｇ１に対するタッチ操作と、表示部１２の周囲に配置された押しボタンキーに対する押下操作との双方を行うことができる。このような場合、リモート操作画面生成部１９は、操作パネル８の表示部１２に表示される画面と、その画面周囲の押しボタンキーとの双方を画面構成要素に含むリモート操作画面Ｇ４を生成する。
【００５５】
また、ユーザが単一の情報端末３ａを用いて画像処理装置２にログインした時点で操作パネル８に表示されている操作パネル画面が図４に示す操作パネル画面Ｇ２である場合、リモート操作画面生成部１９は、図７に示すように、該操作パネル画面Ｇ２に基づく操作画面をリモート操作画面Ｇ５として生成する。したがって、リモート操作画面Ｇ５は、操作パネル画面Ｇ２の文字列入力表示領域ｇ１と同一の画面構成要素を有する文字列入力表示領域ｇ７と、キーボード表示領域ｇ２と同一の画面構成要素を有するキーボード表示領域ｇ８とを備える。このように操作パネル８が表示部１２に表示される画面に対するタッチ操作だけを受付可能な状態である場合には、リモート操作画面生成部１９は、表示部１２に表示される画面構成要素だけを含むリモート操作画面Ｇ５を生成する。ただし、表示部１２の画面サイズよりも情報端末３ａの画面サイズが小さいときには、このリモート操作画面Ｇ５は、文字や図形の縮小化を回避するため、文字列入力表示領域ｇ７とキーボード表示領域ｇ８とが一部重畳されている。
【００５６】
また、ユーザが単一の情報端末３ａを用いて画像処理装置２にログインした時点で操作パネル８に表示されている操作パネル画面が図５に示す操作パネル画面Ｇ３である場合、リモート操作画面生成部１９は、図８に示すように、該操作パネル画面Ｇ３に基づく操作画面をリモート操作画面Ｇ６として生成する。したがって、リモート操作画面Ｇ６は、プレビュー表示領域ｇ３に対応するプレビュー画面表示領域ｇ９と、画像処理設定表示領域ｇ４と同一の画面構成要素を有する画像処理設定画面表示領域ｇ１０とを備える。なお、連携状態におけるリモート操作画面生成部１９の処理内容については後述する。
【００５７】
図２に戻り、情報通信部２０は、情報端末３に対して各種情報を送信したり、情報端末３から各種情報を受信したりする処理部であり、パスワード通信部２３と、リモート操作画面送信部２４と、ユーザ情報受信部２５とを有する。パスワード通信部２３は、第１認証部１７のユーザ認証が成功したユーザの情報端末３に対し、パスワード発行部１８で発行されたワンタイムパスワードを送信するものである。リモート操作画面送信部２４は、リモート操作画面生成部１９で生成されたリモート操作画面や後述する分割操作画面を情報端末３に送信するものである。ユーザ情報受信部２５は、情報端末３からユーザ情報やワンタイムパスワードをネットワーク及び近距離無線通信を介して受信するものである。
【００５８】
第２認証部２１は、認証情報としてのワンタイムパスワードを用いて情報端末３ｂからログイン要求があった場合に、該ワンタイムパスワードに基づく認証処理を行うものである。具体的には、当該画像処理装置２から情報端末３ａにワンタイムパスワードを送信した後、別の情報端末３ｂからそのワンタイムパスワードが付加されたログイン要求があると、第２認証部２１は、受信したワンタイムパスワードが記憶部１０に登録されているか否かを判別することによりユーザ認証を行う。第２認証部２１は、受信したワンタイムパスワードが記憶部１０に登録されていると判断すると、当該画像処理装置２にログインしようとしている情報端末３ｂのユーザが、先に当該画像処理装置２からそのワンタイムパスワードを送信した情報端末３ａのユーザと同一のユーザであると判断する。そして、第２認証部２１は、その旨をリモート操作画面生成部１９に通知するとともに、情報端末３ｂを連携状態へと移行させる。
【００５９】
リモート操作画面生成部１９は、情報端末３ｂのユーザが情報端末３ａのユーザと同一のユーザであると判断する旨の通知を第２認証部２１から受け取ると、情報端末３ａの表示と情報端末３ｂの表示とを連携させる。すなわち、非連携状態において情報端末３ａで表示されていたリモート操作画面が例えば図６に示す画面Ｇ４であった場合、連携状態に移行すると、リモート操作画面生成部１９は、情報端末３ａ，３ｂに表示させるリモート操作画面として、図９（ａ），（ｂ）に示すように、リモート操作画面Ｇ４に含まれる画面構成要素を分割して構成された２種類の分割操作画面Ｇ７，Ｇ８を生成し、一方の分割操作画面Ｇ７を情報端末３ａ用のリモート操作画面、他方の分割操作画面Ｇ８を情報端末３ｂ用のリモート操作画面として設定する。
【００６０】
より具体的には、非連携状態で生成されるリモート操作画面Ｇ４が図６に示すものである場合、連携状態に移行すると、リモート操作画面生成部１９は、リモート操作画面Ｇ４における表示領域ｇ５内の画面構成要素と表示領域ｇ６内の画面構成要素とに分割する。表示領域ｇ５は、操作パネル８の表示部１２に表示される表示画面と同内容を表示する表示領域であり、表示領域ｇ６は、操作パネル８の表示部１２の周囲に配置された押しボタンキーに対応する領域である。そして、リモート操作画面生成部１９は、図９（ａ）に示すように、表示領域ｇ５内の画面構成要素からなる分割操作画面Ｇ７を情報端末３ａ用のリモート操作画面とし、図９（ｂ）に示すように、表示領域ｇ６内の画面構成要素からなる分割操作画面Ｇ８を情報端末３ｂ用のリモート操作画面として生成する。
【００６１】
このように、連携状態で生成される分割操作画面Ｇ７，Ｇ８は、非連携状態において１台の情報端末３ａで表示されるリモート操作画面Ｇ４の画面構成要素を２つに分割してそれぞれ構成される。そのため、図９（ａ），（ｂ）に示すように、一つの情報端末３ａにすべての画面構成要素を含んだ操作画面を表示させる非連携状態に比して、各画面構成要素を大きく表示することができる。
【００６２】
非連携状態において情報端末３ａで表示されていたリモート操作画面が例えば図７に示す画面Ｇ５であった場合、連携状態に移行すると、リモート操作画面生成部１９は、情報端末３ａ，３ｂに表示させるリモート操作画面として、図１０（ａ），（ｂ）に示すように、リモート操作画面Ｇ５に含まれる画面構成要素を分割して構成された２種類の分割操作画面Ｇ９，Ｇ１０を生成し、一方の分割操作画面Ｇ９を情報端末３ａ用のリモート操作画面、他方の分割操作画面Ｇ１０を情報端末３ｂ用のリモート操作画面として設定する。
【００６３】
より具体的には、非連携状態で生成されるリモート操作画面Ｇ５が図７に示すものである場合、連携状態に移行すると、リモート操作画面生成部１９は、このリモート操作画面Ｇ５における文字列入力表示領域ｇ７内の画面構成要素とキーボード表示領域ｇ８内の画面構成要素とに分割する。そして、リモート操作画面生成部１９は、図１０（ａ）に示すように、表示領域ｇ７内の画面構成要素からなる分割操作画面Ｇ９を情報端末３ａ用のリモート操作画面とし、図１０（ｂ）に示すように、表示領域ｇ８内の画面構成要素からなる分割操作画面Ｇ１０を情報端末３ｂ用のリモート操作画面として生成する。
【００６４】
このように、連携状態で生成される分割操作画面Ｇ９，Ｇ１０は、非連携状態において１台の情報端末３ａで表示されるリモート操作画面Ｇ５の画面構成要素を２つに分割してそれぞれ構成される。そのため、図１０（ａ），（ｂ）に示すように、一つの情報端末３ａにすべての画面構成要素を含んだ操作画面を表示させる非連携状態に比して、各画面構成要素を大きく表示することができる。また、リモート操作画面Ｇ５のような重複部分が無くなるため、重複部分の情報が隠れることによる画面操作性の低下も回避することができる。
【００６５】
非連携状態において情報端末３ａで表示されていたリモート操作画面が例えば図８に示す画面Ｇ６であった場合、連携状態に移行すると、リモート操作画面生成部１９は、情報端末３ａ，３ｂに表示させるリモート操作画面として、図１１（ａ），（ｂ）に示すように、リモート操作画面Ｇ６に含まれる画面構成要素を分割して構成された２種類の分割操作画面Ｇ１１，Ｇ１２を生成し、一方の分割操作画面Ｇ１１を情報端末３ａ用のリモート操作画面、他方の分割操作画面Ｇ１２を情報端末３ｂ用のリモート操作画面として設定する。
【００６６】
より具体的には、非連携状態で生成されるリモート操作画面Ｇ６が図８に示すものである場合、連携状態に移行すると、リモート操作画面生成部１９は、このリモート操作画面Ｇ６におけるプレビュー画面表示領域ｇ９内の画面構成要素と、画像処理設定画面表示領域ｇ１０内の画面構成要素とに分割する。そして、リモート操作画面生成部１９は、図１１（ａ）に示すように、表示領域ｇ９に対応する分割操作画面Ｇ１１を情報端末３ａ用のリモート操作画面とし、図１１（ｂ）に示すように、表示領域ｇ１０内の画面構成要素からなる分割操作画面Ｇ１２を情報端末３ｂ用のリモート操作画面として生成する。
【００６７】
このように、連携状態で生成される分割操作画面Ｇ１１，Ｇ１２は、非連携状態において１台の情報端末３ａで表示されるリモート操作画面Ｇ６の画面構成要素を２つに分割してそれぞれ構成される。そのため、図１１（ａ）,（ｂ）に示すように、一つの情報端末３ａにすべての画面構成要素を含んだ操作画面を表示させる非連携状態に比して、各画面構成要素を大きく表示することができる。
【００６８】
リモート操作画面生成部１９は、情報端末３ａ，３ｂに表示された分割操作画面に対する操作情報を受信すると、情報端末３ａ，３ｂにそれぞれ送信する分割操作画面を当該操作情報に基づいて更新する。例えば、情報端末３ａに図１０（ａ）に示す分割操作画面Ｇ９が表示され、情報端末３ｂに図１０（ｂ）に示す分割操作画面Ｇ１０が表示されている状態で、分割操作画面Ｇ９の「設定１−１」の項目に対し、図１２（ｂ）に示すように、情報端末３ｂに表示されている分割操作画面Ｇ１０のキーボードを使ってユーザが「Ａ」，「Ｂ」，「Ｃ」とこの順に入力したとする。このとき、リモート操作画面生成部１９は、情報端末３ｂから「Ａ」,「Ｂ」,「Ｃ」の各キーの操作情報を受信したことを受けて、図１２（ａ）に示すように、分割操作画面Ｇ９の「設定１−１」の項目に対応する文字列表示領域に「ＡＢＣ」の文字列を表示した分割操作画面Ｇ９'を生成する。
【００６９】
リモート操作画面送信部２４は、リモート操作画面生成部１９により生成されたリモート操作画面を情報端末３ａ，３ｂに送信するものである。すなわち、リモート操作画面送信部２４は、ユーザが単一の情報端末３ａを用いて画像処理装置２にログインしている非連携状態においては、その情報端末３ａに対して生成されたリモート操作画面を該情報端末３に送信する。また、リモート操作画面送信部２４は、同一のユーザが情報端末３ａ，３ｂを用いて画像処理装置２にログインしている連携状態においては、情報端末３ａ，３ｂに対してそれぞれ生成された分割操作画面を各情報端末３ａ，３ｂに送信する。
【００７０】
ジョブ制御部２２は、リモート操作画面Ｇ２及び分割操作画面に対して入力された指示に係る処理（ジョブ）を画像処理装置２の各部に実行させるものである。
【００７１】
次に、情報端末３について説明する。図１３は、本実施形態に係る情報端末３の構成を示す図である。図１３に示す情報端末３は、ネットワーク通信Ｉ／Ｆ部２６と、近距離無線通信Ｉ／Ｆ部２７と、表示部２８と、操作部２９と、記憶部３０と、制御部３１とを備えている。なお、情報端末３がスマートフォンなどで構成される場合には、この他にも電話通話を行うためのマイクやスピーカなどが設けられる。
【００７２】
ネットワーク通信Ｉ／Ｆ部２６は、制御部３１がネットワークを介してデータ通信を行う場合にその通信制御を行う処理部である。また、近距離無線通信Ｉ／Ｆ部２７は、制御部３１が他の装置との間で近距離無線通信を行う場合にその通信制御を行う処理部である。この近距離無線通信Ｉ／Ｆ部２７は、他の装置との間で近距離無線通信を行うことができる状態になると、それを自動検知し、制御部３１に通知する。
【００７３】
表示部２８は、例えばカラー液晶ディスプレイなどで構成され、情報端末３のユーザに対して各種情報を表示する。操作部２９は、例えば表示部２８の画面上に配置されるタッチパネルセンサーなどで構成され、情報端末３のユーザから操作入力を受け付ける。
【００７４】
記憶部３０は、ソリッドステートドライブ（ＳＳＤ）などで構成される不揮発性の記憶手段である。この記憶部３０には、制御部３１の図示しないＣＰＵによって実行されるアプリケーションとして、情報端末３の基本アプリケーションであるオペレーティングシステムが予め記憶されているとともに、ユーザが利用する複数のアプリケーションプログラムが記憶される。さらに、記憶部３０には遠隔操作用アプリケーションが予め記憶されている。
【００７５】
制御部３１は、画像処理装置２と同様の図示しないＣＰＵやメモリを備えて構成されている。ＣＰＵが遠隔操作用アプリケーションを実行することにより、制御部３１は、遠隔操作用アプリケーション実行部３２及び接続検知部３３として機能する。
【００７６】
遠隔操作用アプリケーション実行部３２は、ユーザにより遠隔操作用アプリケーションの実行指示がなされると起動し、当該情報端末３で画像処理装置２をリモート操作するのに必要な各種処理を実行するものである。遠隔操作用アプリケーション実行部３２は、ユーザ情報送信部３４と、リモート操作画面受信部３５と、ワンタイムパスワード送受信部３６と、アクセス情報送受信部３７とを有する。
【００７７】
ユーザ情報送信部３４は、例えばログインＩＤ及びログインパスワードを含むユーザ情報の入力操作（ログイン操作）が行われると、該ユーザ情報をネットワーク通信Ｉ／Ｆ部２６を介して画像処理装置２に送信するものである。
【００７８】
リモート操作画面受信部３５は、ネットワーク通信Ｉ／Ｆ部２６を介して画像処理装置２からリモート操作画面を受信するものである。すなわち、リモート操作画面受信部３５は、非連携状態においては、例えば図６〜図８に示すリモート操作画面Ｇ４〜Ｇ６を画像処理装置２から受信する。また、リモート操作画面受信部３５は、連携状態においては、例えば図９〜図１１に示す分割操作画面Ｇ７〜Ｇ１２を画像処理装置２から受信する。
【００７９】
ワンタイムパスワード送受信部３６は、画像処理装置２からネットワーク通信Ｉ／Ｆ部２６を介して送信されるワンタイムパスワードを受信する。また、ワンタイムパスワード送受信部３６は、他の情報端末３から近距離無線通信Ｉ／Ｆ部２７を介して送信されるワンタイムパスワードを受信する。
【００８０】
アクセス情報送受信部３７は、他の情報端末３ｂが当該情報端末３ａの近距離無線通信可能範囲内に進入すると、近距離無線通信Ｉ／Ｆ部２７を介して画像処理装置２の例えばアドレス情報等のアクセス情報を当該他の情報端末３ｂに送信する。また、アクセス情報送受信部３７は、近距離無線通信Ｉ／Ｆ部２７を介して他の情報端末３ｂから送信されるアクセス情報を受信する。
【００８１】
接続検知部３３は、遠隔操作用アプリケーション実行部３２が起動すると機能するものであり、近距離無線通信Ｉ／Ｆ部２７を介して他の情報端末３ｂとの近距離無線通信が可能な接続状態であることを検知するものである。上述したように、近距離無線通信Ｉ／Ｆ部２７は、自機と他の情報端末３ｂとの間で近距離無線通信を行うことができる状態になると、それを自動検知し、制御部３１に通知する。接続検知部３３は、この通知を受けることにより、他の情報端末３ｂとの近距離無線通信が可能な接続状態であることを検知する。
【００８２】
次に、画像処理装置２及び情報端末３ａ，３ｂで行われる処理手順について説明する。図１４は、該処理手順を示すプロセス図である。
【００８３】
図１４に示すように、情報端末３ａは、例えばログインＩＤ及びログインパスワード等の通常のユーザ情報の入力操作（ログイン操作）が行われると（ステップＰ１）、入力されたユーザ情報Ｄ１を画像処理装置２に送信してログイン要求する。
【００８４】
画像処理装置２は、ユーザ情報Ｄ１を付加したログイン要求を情報端末３ａから受けてログイン処理を行う（ステップＰ２）。当該ログイン処理には、当該ユーザ情報に基づくユーザ認証処理、リモート操作画面（例えば図６の画面Ｇ４）の生成、リモート操作画面及びワンタイムパスワードを含む各種情報Ｄ２の送信を含む。
【００８５】
情報端末３ａは、画像処理装置２から受信したリモート操作画面を表示部２８に表示させる（ステップＰ３）。また、情報端末３ａは、情報端末３ｂと近距離無線通信が可能になったことを検知すると（ステップＰ４）、そのワンタイムパスワードＤ３を情報端末３ｂに送信する。なお、このとき、情報端末３ｂは、情報端末３ａと近距離無線通信が可能になったことを検知している（ステップＰ５）。情報端末３ｂは、情報端末３ａから受信したワンタイムパスワードＤ４を画像処理装置２に送信してログイン要求する（ステップＰ６）。
【００８６】
画像処理装置２は、情報端末３ｂから受信したワンタイムパスワードに基づいてログイン処理を行う（ステップＰ７）。ここでのログイン処理は、当該ワンタイムパスワードに基づくユーザ認証処理、分割操作画面Ｄ５，Ｄ６（例えば図９（ａ）,（ｂ）の画面Ｇ７，Ｇ８）の生成及び送信を含む。情報端末３ａ，３ｂは、画像処理装置２から受信した分割操作画面をリモート操作画面として表示部２８に表示させる（ステップＰ８，Ｐ９）。
【００８７】
また、情報端末３ａは、自機の表示部２８に表示している分割操作画面に対する操作が行われると（ステップＰ１０）、その操作情報Ｄ７を画像処理装置２に送信する。画像処理装置２は、該操作情報に基づき、情報端末３ａ，３ｂに表示している分割操作画面を変更し（ステップＰ１１）、各分割操作画面Ｄ８，Ｄ９を情報端末３ａ，３ｂに送信する。情報端末３ａ，３ｂは、画像処理装置２から受信した分割操作画面を自機の表示部２８に表示させることにより、表示すべき分割操作画面を更新する（ステップＰ１２,Ｐ１３）。
【００８８】
一方、情報端末３ｂは、自機の表示部２８に表示している分割操作画面に対する操作が行われると（ステップＰ１４）、その操作情報Ｄ１０を画像処理装置２に送信する。画像処理装置２は、該操作情報に基づき、情報端末３ａ，３ｂに表示している分割操作画面を変更し（ステップＰ１５）、各分割操作画面Ｄ１１，Ｄ１２を情報端末３ａ，３ｂに送信する。情報端末３ａ，３ｂは、画像処理装置２から受信した分割操作画面を自機の表示部２８に表示させることにより、表示すべき分割操作画面を更新する（ステップＰ１６,Ｐ１７）。
【００８９】
次に、画像処理装置２で行われる詳細な処理手順を説明する。図１５は、該処理手順を示すフローチャートである。
【００９０】
図１５に示すように、第１認証部１７は、情報端末３ａから例えばログインＩＤ及びログインパスワード等の通常のユーザ情報でログイン要求があったか否かを判断し（ステップＳ１）、あったと判断すると（ステップＳ１でＹＥＳ）、該ユーザ情報に基づきユーザ認証処理を行う（ステップＳ２）。そして、第１認証部１７は、ユーザ認証が失敗となった場合には（ステップＳ３でＮＯ）、情報端末３ａに対してエラー通知を行ってステップＳ１の処理に戻る（ステップＳ４）。一方、ユーザ認証が成功となると（ステップＳ３でＹＥＳ）、リモート操作画面生成部１９は、リモート操作画面（例えば図６の画面Ｇ４）を生成し、リモート操作画面送信部２４及びパスワード通信部２３は、該リモート操作画面及びワンタイムパスワードを情報端末３ａに送信する（ステップＳ５）。また、情報端末３ａから操作情報を受信すると（ステップＳ６でＹＥＳ）、リモート操作画面生成部１９は、リモート操作画面を新たに生成し、リモート操作画面送信部２４は、該リモート操作画面を情報端末３ａに送信する（ステップＳ７）。情報端末３ａから操作情報を受信しない場合は（ステップＳ６でＮＯ）、リモート操作画面生成部１９は、ステップＳ７の処理をとばす。
【００９１】
次に、第２認証部２１は、情報端末３ｂからワンタイムパスワードでログイン要求があったか否かを判断し（ステップＳ８）、あったと判断すると（ステップＳ８でＹＥＳ）、ユーザ認証処理を行う（ステップＳ９）。そして、第２認証部２１は、ユーザ認証が失敗となった場合には（ステップＳ１０でＮＯ）、情報端末３ｂに対してエラー通知を行う（ステップＳ１１）。一方、ユーザ認証が成功となると（ステップＳ１０でＹＥＳ）、リモート操作画面生成部１９は、非連携状態で送信した直近のリモート操作画面の画面構成要素に基づき分割操作画面を生成し、リモート操作画面送信部２４は、各分割操作画面を情報端末３ａ，３ｂに送信する（ステップＳ１２）。情報端末３ｂからワンタイムパスワードを用いたログイン要求がない場合には（ステップＳ８でＮＯ）、ステップＳ６の処理に戻る。
【００９２】
その後、情報通信部２０は、情報端末３ａ又は情報端末３ｂから分割操作画面に対する操作情報を受信すると（ステップＳ１３でＹＥＳ）、リモート操作画面生成部１９は、その操作情報に基づき各分割操作画面を変更し、リモート操作画面送信部２４は、各分割操作画面を情報端末３ａ，３ｂに送信する（ステップＳ１４）。一方、情報通信部２０が情報端末３ａ又は情報端末３ｂから操作情報を受信することなく（ステップＳ１３でＮＯ）、情報通信部２０が情報端末３ａ又は情報端末３ｂからログアウト要求を受信すると（ステップＳ１５でＹＥＳ）、その要求を送信してきた情報端末に対してログアウト処理を行う（ステップＳ１６）。なお、情報通信部２０が情報端末３ａ又は情報端末３ｂからログアウト要求を受信しない場合は（ステップＳ１５でＮＯ）、ステップＳ１３の処理に戻る。
【００９３】
情報端末３ａで行われる詳細な処理手順を説明する。図１６は、該処理手順を示すフローチャートである。
【００９４】
図１６に示すように、遠隔操作用アプリケーションが起動されると、遠隔操作用アプリケーション実行部３２は、例えばログインＩＤ及びログインパスワード等の通常のユーザ情報の入力画面を表示部２８に表示させ、ユーザ情報の入力操作（ログイン操作）が行われると（ステップＳ２１でＹＥＳ）、入力されたユーザ情報を画像処理装置２に送信してログイン要求する（ステップＳ２２）。なお、遠隔操作用アプリケーション実行部３２が起動すると接続検知部３３が機能し、接続検知部３３は、他の装置との近距離無線通信が可能な状態になったか否かを常時監視する状態となる。
【００９５】
その後、遠隔操作用アプリケーション実行部３２は、画像処理装置２からエラー通知を受けた場合には（ステップＳ２３でＹＥＳ）、ステップＳ２１の処理に戻る一方、エラー通知を受けず（ステップＳ２３でＮＯ）、画像処理装置２からリモート操作画面を受信したと判断すると（ステップＳ２４でＹＥＳ）、このリモート操作画面を表示部２８に表示させる（ステップＳ２５）。そして、このリモート操作画面に対して操作が行われると（ステップＳ２６でＹＥＳ）、遠隔操作用アプリケーション実行部３２は、その操作情報を画像処理装置２に送信する（ステップＳ２７）。
【００９６】
また、リモート操作画面に対して操作が行われないまま（ステップＳ２６でＮＯ）、遠隔操作用アプリケーション実行部３２が画像処理装置２からワンタイムパスワードを受信すると（ステップＳ２８でＹＥＳ）、情報端末３ｂとの近距離無線通信が可能になったことを近距離無線通信Ｉ／Ｆ部２７からの通知に基づいて接続検知部３３が検知するまで待機する。接続検知部３３がその通知を受けて自機が情報端末３ｂと近距離無線通信が可能になったことを検知すると（ステップＳ２９でＹＥＳ）、そのワンタイムパスワードを近距離無線通信Ｉ／Ｆ部２７を介して情報端末３ｂに送信する（ステップＳ３１）。なお、遠隔操作用アプリケーション実行部３２が画像処理装置２からワンタイムパスワードを受信しない場合（ステップＳ２８でＮＯ）や、接続検知部３３が情報端末３ｂと近距離無線通信が可能になったことを検知しない場合には（ステップＳ２９でＮＯ）、遠隔操作用アプリケーション実行部３２は、切断指示があったか否かを判断し（ステップＳ３０）、切断指示が無い場合には（ステップＳ３０でＮＯ）、ステップＳ２６に戻り、切断指示があった場合には（ステップＳ３０でＹＥＳ）、その旨を画像処理装置２に通知してログアウト処理を行う（ステップＳ３７）。
【００９７】
ステップＳ３１の処理後、遠隔操作用アプリケーション実行部３２は、画像処理装置２から分割操作画面を受信したか否かを判断する（ステップＳ３２）。遠隔操作用アプリケーション実行部３２が分割操作画面を受信したと判断すると（ステップＳ３２でＹＥＳ）、該分割操作画面をリモート操作画面として表示部２８に表示させる（ステップＳ３３）。
【００９８】
そして、該分割操作画面に対する操作が行われると（ステップＳ３４でＹＥＳ）、遠隔操作用アプリケーション実行部３２は、その操作情報を画像処理装置２に送信し（ステップＳ３５）、ステップＳ３２の処理に戻る。
【００９９】
ステップＳ３２において、遠隔操作用アプリケーション実行部３２は、分割操作画面を受信していないと判断した場合（ステップＳ３２でＮＯ）、及びステップＳ３４において分割操作画面に対する操作が行われない場合には（ステップＳ３４でＮＯ）、ステップＳ３６の処理を行う。
【０１００】
次に、情報端末３ｂで行われる詳細な処理手順を説明する。図１７は、該処理手順を示すフローチャートである。
【０１０１】
図１７に示すように、遠隔操作用アプリケーションが起動されることにより遠隔操作用アプリケーション実行部３２が機能した上で、接続検知部３３が情報端末３ａとの近距離無線通信が可能になったことを検知すると（ステップＳ４１でＹＥＳ）、遠隔操作用アプリケーション実行部３２は、情報端末３ａからワンタイムパスワードを受信したか否かを判断する（ステップＳ４２）。遠隔操作用アプリケーション実行部３２は、ワンタイムパスワードを受信したと判断すると（ステップＳ４２でＹＥＳ）、該ワンタイムパスワードを画像処理装置２に送信してログイン要求する（ステップＳ４３）。
【０１０２】
その後、遠隔操作用アプリケーション実行部３２は、画像処理装置２からエラー通知があったか否かを判断し（ステップＳ４４）、あったと判断すると（ステップＳ４４でＹＥＳ）、ステップＳ４３の処理を再度行う。一方、遠隔操作用アプリケーション実行部３２は、エラー通知を受けることなく（ステップＳ４４でＮＯ）、画像処理装置２から分割操作画面を受信すると（ステップＳ４５でＹＥＳ）、その分割操作画面を表示部２８にリモート操作画面として表示させる（ステップＳ４６）。
【０１０３】
そして、該分割操作画面に対する操作が行われると（ステップＳ４７でＹＥＳ）、遠隔操作用アプリケーション実行部３２は、その操作情報を画像処理装置２に送信し（ステップＳ４８）、ステップＳ４５の処理に戻る。一方、分割操作画面に対する操作が行われない場合には（ステップＳ４７でＮＯ）、遠隔操作用アプリケーション実行部３２は、切断指示があったか否かを判断し（ステップＳ４９）、切断指示が無い場合には（ステップＳ４９でＮＯ）、ステップＳ４７に戻り、切断指示があった場合には（ステップＳ４９でＹＥＳ）、その旨を画像処理装置２に通知してログアウト処理を行う（ステップＳ５０）。
【０１０４】
このように、本実施形態では、一の情報端末３が画像処理装置２にログインした状態で、別の情報端末３を用いて画像処理装置２にログインした場合に、その別の情報端末３のユーザが、一の情報端末３ａの認証ユーザと同一のユーザであることを画像処理装置２が認識したときには、画像処理装置２は、当該認証ユーザに対応するリモート操作画面に含まれる画面構成要素を分割してそれぞれ異なる画面内容を表示する複数の分割操作画面をリモート操作画面として生成し情報端末３ａ，３ｂのそれぞれに送信するようにした。これにより、一つの情報端末３にすべての画面構成要素を含む操作画面を表示させる非連携状態に比して、画面構成要素を大きく表示することができる。よって、情報端末３に表示される表示画面に対する操作性や画面の視認性を向上することができる。
【０１０５】
また、情報端末３ａが画像処理装置２にログインすると、画像処理装置２は、その情報端末３に一時的なパスワードを与え、その後に、遠隔操作用アプリケーションが起動した別の情報端末３ｂが、情報端末３ａの近距離無線通信可能範囲に進入すると、その情報端末３ａが、画像処理装置２から与えられたワンタイムパスワードを情報端末３ｂに送信する。そして、情報端末３ｂがこのパスワードを用いて画像処理装置２にログイン要求すると、画像処理装置２は、該パスワードに基づく認証処理を行って、認証に成功すると、情報端末３ｂのユーザは一の情報端末３ａのユーザと同一ユーザであると判断する。
【０１０６】
このような一時的なパスワードを用いて情報端末３ａ，３ｂのユーザの同一性を判断するので、情報端末３ａのユーザと全く関係の無い他人が該パスワードを用いて情報端末３ｂを画像処理装置２にログインした状態にして画像処理装置２を使用する所謂なりすましの利用を防止することができ、連携表示システム１の良好なセキュリティを確保することができる。
【０１０７】
また、本実施形態では、情報端末３ａと情報端末３ｂとが近距離無線通信でワンタイムパスワードの送受信を行うようにしたので、情報端末３と情報端末３ｂとが近距離無線通信の通信可能範囲から外れている、すなわち情報端末３と情報端末３ｂとが離れている場合、画像処理装置２が、情報端末３ａのユーザと情報端末３ｂのユーザとが同一ユーザであると判断されることはない。これによっても、所謂なりすましの利用を防止することができ、連携表示システム１の良好なセキュリティを確保することができる。
【０１０８】
（第２の実施形態）
次に、連携表示システム１の第２の実施形態について説明する。図１８は、本実施形態に係る連携表示システム１の構成を示す概念図である。
【０１０９】
図１８に示す連携表示システム１は、画像処理装置２及び情報端末３に加えて、サーバ３８を備えて構成されている。本実施形態では、画像処理装置２、情報端末３及びサーバ３８のそれぞれがネットワークを介して互いにアクセスすることが可能となっている。なお、サーバ３８の一例としては、インターネットを介して文書データなどの各種データを蓄積するクラウドサービスに用いられるクラウドサーバが考えられる。
【０１１０】
サーバ３８は、例えば登録ユーザごとにアカウントを作成し、そのアカウントごとに各登録ユーザが占有して利用可能な一定のデータ記憶領域を設定する。そして、登録ユーザがネットワークを介しそのデータ記憶領域に対してデータをアップロードしたり、或いはそのデータ記憶領域からデータをダウンロードしたりすることができるサービスを提供する。なお、このようなサーバ３８は、インターネット上において一般に多数設置されているが、図１８においてはそのうちの１台だけを例示している。
【０１１１】
このようなサーバ３８によるサービスの提供を受けるべく、本実施形態における情報端末３には、そのサービスを利用するためのサーバサービスアプリケーションがインストールされている。ユーザはそのアプリケーションを実行させると、何時でも何処からでも情報端末３を用いてサーバ３８によって提供されるサービスを利用することができ、例えばサーバ３８に格納されている画像を閲覧したり、該画像に対する処理を依頼したりすることができる。
【０１１２】
本実施形態では、情報端末３ａにおいてサーバサービスアプリケーションを実行すると、サーバ３８からサービスの提供を受けるためのサービス提供画面が表示部２８に表示される。ユーザは、このサービス提供画面を用いてサーバ３８に所望のサービスの提供を要求することができる。
【０１１３】
また、この情報端末３ａにおいてサービス提供画面が表示部２８に表示されている状態で遠隔操作用アプリケーションを実行させると、ユーザ認証を経て、サービス提供画面と同様のリモート操作画面が画像処理装置２から情報端末３ａに提供され、情報端末３ａにおいて表示される画面がこのリモート操作画面に切り替えられる。
【０１１４】
さらにこの状態で、同一ユーザが別の情報端末３ｂを用いてワンタイムパスワードにより画像処理装置２にログインして連携状態となると、そのリモート操作画面の画面構成要素を分割してそれぞれ異なる画面内容を表示する各分割操作画面が画像処理装置２で生成される。そして、該分割操作画面が情報端末３ａと情報端末３ｂとのそれぞれに送信され情報端末３ａ，３ｂでリモート操作画面として表示される。以下、このように構成された本実施形態に係る連携表示システム１の画像処理装置２、情報端末３及びサーバ３８について説明する。
【０１１５】
図１９は、本実施形態に係る画像処理装置２の構成を示す図である。本実施形態における画像処理装置２は、第１の実施形態における画像処理装置２の各部に加えて、制御部１１にジョブ移管処理部４０を備え、また、情報通信部２０にサーバ情報受信部３９を更に備えている。
【０１１６】
サーバ情報受信部３９は、サーバサービスアプリケーションが起動された情報端末３ａで遠隔操作用アプリケーションが起動されることに伴い該情報端末３ａからサーバ情報（サーバ３８のアドレス情報等）が送信されると、該サーバ情報を受信するものである。ジョブ移管処理部４０は、サーバ情報受信部３９により受信されたサーバ情報に基づきサーバ３８にアクセスし、情報端末３ａからサーバ３８に要求した処理（ジョブ）を自機に移管し、該ジョブを画像処理装置２の各部に実行させるものである。このジョブの移管処理の過程でサーバ３８からサービス提供画面の提供を受ける。
【０１１７】
本実施形態におけるリモート操作画面生成部１９は、サーバ３８から提供されていたサービス提供画面の画面情報をジョブ移管処理部４０から取得する。そして、リモート操作画面生成部１９は、該画面情報に基づきサービス提供画面と同様の画面をリモート操作画面として生成する。図２０に、該リモート操作画面の一例を示す。図２０に示すリモート操作画面Ｇ１３は、サーバ３８に格納されている所定のファイルについて印刷要求した場合に生成される画面の一例であり、サーバ３８に格納されているファイルのリストを表示する表示領域ｇ１１と、該リストの中から選択されたファイルについて要求した印刷処理の進行状況を表示する表示領域ｇ１２とを有する。
【０１１８】
そして、連携状態に移行すると、リモート操作画面生成部１９は、図２１（ａ）に示すように、ファイルのリストを表示する表示領域ｇ１１の画面構成要素に基づいて分割操作画面Ｇ１４を生成するとともに、図２１（ｂ）に示すように、選択されたファイルについて要求した印刷処理の進行状況を表示する表示領域ｇ１２の画面構成要素に基づいて分割操作画面Ｇ１５を生成する。また、リモート操作画面送信部２４は、これらの分割操作画面Ｇ１４，Ｇ１５を情報端末３ａ，３ｂに送信する。
【０１１９】
これにより、情報端末３ａには、分割操作画面Ｇ１４がリモート操作画面として表示され、情報端末３ｂには、分割操作画面Ｇ１５がリモート操作画面として表示される。このように、連携状態に移行すると、非連携状態に比してファイルのリストと処理の進行状況とを別々の情報端末３ａ，３ｂに表示するため、それらを大きく表示することができる。
【０１２０】
なお、ここでは、一方の分割操作画面を処理の進行状況を表示する画面としたが、これに代えて、選択されたファイルの内容を表示する画面としてもよい。
【０１２１】
次に、情報端末３について説明する。図２２は、本実施形態に係る情報端末３の構成を示す図である。図２２に示すように、本実施形態における情報端末３は、図１３に示す第１の実施形態における情報端末３の各構成に加えて、制御部３１にサーバサービスアプリケーション実行部４１を備え、遠隔操作用アプリケーション実行部３２にサーバ情報送信部４２を備えている。
【０１２２】
サーバサービスアプリケーション実行部４１は、ユーザによりサーバサービスアプリケーションが実行されると起動し、当該情報端末３を用いてサーバ３８のサービスを受けるのに必要な各種処理を実行するものである。サーバ情報送信部４２は、サーバサービスアプリケーション実行部４１が機能している状態で遠隔操作用アプリケーション実行部３２が起動すると、情報端末３がサービスの提供を受けているサーバ３８にアクセスするためのサーバ情報を画像処理装置２に送信するものである。
【０１２３】
次に、サーバ３８について説明する。図２３は、本実施形態に係るサーバ３８の構成を示す図である。図２３に示すように、サーバ３８は、ネットワーク通信Ｉ／Ｆ部４３と、記憶部４４と、制御部４５とを備えている。ネットワーク通信Ｉ／Ｆ部４３は、制御部４５がネットワークを介してデータ通信を行う際の通信制御を行う処理部である。記憶部４４は、ソリッドステートドライブ（ＳＳＤ）などで構成される不揮発性の記憶手段である。この記憶部４４には、制御部４５の図示しないＣＰＵによって実行されるアプリケーションとして、サーバ３８の基本アプリケーションであるオペレーティングシステムが予め記憶されている。
【０１２４】
制御部４５は、画像処理装置２と同様の図示しないＣＰＵやメモリを備えて構成されている。本実施形態においては、制御部４５は、画面情報送信部４６及びジョブ移管処理部４７として機能する。画面情報送信部４６は、画像処理装置２からサービス提供画面の画面情報が要求された場合に、該画面情報を画像処理装置２に送信する。ジョブ移管処理部４７は、画像処理装置２へのジョブの移管が該画像処理装置２から要求された場合に、そのジョブの移管処理を行う。
【０１２５】
次に、本実施形態において画像処理装置２、情報端末３ａ，３ｂ及びサーバ３８で行われる処理手順について説明する。図２４，図２５は、該処理手順を示すプロセス図である。なお、以下の説明においては、既に、情報端末３ａは既にサーバ３８にアクセスして印刷処理を要求しているものとする。
【０１２６】
図２４，図２５に示すように、情報端末３ａは、例えばログインＩＤ及びログインパスワード等の通常のユーザ情報の入力操作（ログイン操作）が行われると（ステップＰ１０１）、入力されたユーザ情報及びサーバ３８へのアクセス情報Ｄ１０１を画像処理装置２に送信してログイン要求する。
【０１２７】
画像処理装置２は、ユーザ情報Ｄ１を付加したログイン要求を情報端末３ａから受けてログイン処理を行う（ステップＰ１０２）。当該ログイン処理には、ユーザ認証処理、ジョブ移管処理、リモート操作画面（例えば図２０の画面Ｇ１３）の生成、リモート操作画面及びワンタイムパスワードの送信を含む。ジョブ移管処理では、画像処理装置２は、情報端末３ａからサーバ３８に要求したジョブを自機に移管する要求Ｄ１０２を行う。サーバ３８は、該要求を受けて、ジョブを画像処理装置２に移管する処理を行い（ステップＰ１０３）、サービス提供画面の画面情報及び当該ジョブに係る処理データＤ１０３を画像処理装置２に送信する。画像処理装置２は、これらの情報に基づき、ジョブを自機に移管する処理を行うとともにリモート操作画面を生成する。
【０１２８】
これ以降、画像処理装置２及び情報端末３ａ，３ｂは、図１４に示すプロセス図のステップＰ３〜１７と同様の処理を行う（ステップＰ１０４〜Ｐ１１８）。
【０１２９】
次に、画像処理装置２で行われる詳細な処理手順について説明する。図２６は、該処理手順を示すフローチャートである。なお、以下の説明においては、既に、情報端末３ａは既にサーバ３８にアクセスして印刷処理を要求しているものとする。
【０１３０】
図２６に示すように、第１認証部１７は、情報端末３ａから例えばログインＩＤ及びログインパスワード等の通常のユーザ情報でログイン要求があったか否かを判断し（ステップＳ１０１）、あったと判断すると（ステップＳ１０１でＹＥＳ）、該ユーザ情報に基づきユーザ認証処理を行う（ステップＳ１０２）。そして、第１認証部１７は、ユーザ認証が失敗となった場合には（ステップＳ１０３でＮＯ）、情報端末３ａに対してエラー通知を行ってステップＳ１０１の処理に戻る（ステップＳ１０４）。一方、ユーザ認証が成功となると（ステップＳ１０３でＹＥＳ）、ジョブ移管処理部４０は、サーバ３８にジョブの移管を要求し（ステップＳ１０５）、サーバ３８のジョブ移管処理部４７と連携してジョブ移管処理を行う（ステップＳ１０６）。
【０１３１】
また、リモート操作画面生成部１９は、サーバ３８から受信したサービス提供画面の画面情報に基づき例えば図２０に示すようなリモート操作画面Ｇ１３を生成し、リモート操作画面送信部２４及びパスワード通信部２３は、該リモート操作画面及びワンタイムパスワードを情報端末３ａに送信する（ステップＳ１０７）。これ以降、画像処理装置２は、図１５に示すフローチャートのステップＳ６〜Ｓ１６と同様の処理を行う（ステップＳ１０８〜Ｓ１１８）。
【０１３２】
次に、サーバ３８で行われる詳細な処理手順について説明する。図２７は、該処理手順を示すフローチャートである。
【０１３３】
ジョブ移管処理部４７は、画像処理装置２からジョブの移管要求があると（ステップＳ１２０でＹＥＳ）、サービス提供画面の画面情報やジョブに係る処理データの送信を始めとするジョブ移管処理を行う（ステップＳ１２１）。
【０１３４】
なお、情報端末３ａ，３ｂの処理手順は、図１６，図１７に示す処理手順と同様であるので、説明は省略する。
【０１３５】
このように、情報端末３ａを用いてサーバ３８のサービスの提供を受けることができるシステムにおいて、情報端末３ａからサーバ３８に要求した所定のジョブを画像処理装置２に移管できるようにした場合に、非連携状態では、サーバ３８から受信したサービス提供画面に基づきリモート操作画面を生成して情報端末３ａに表示させ、連携状態に移行すると、該リモート操作画面の画面構成要素を分割した分割操作画面（例えば図２１（ａ）,（ｂ）の画面Ｇ１４,Ｇ１５）を生成して各情報端末３ａ，３ｂに表示させるようにした。
【０１３６】
これにより、本実施形態においても、連携状態で生成される分割操作画面の画面構成要素を、非連携状態のリモート操作画面の画面構成要素に比して大きく表示することができる。
【０１３７】
（第３の実施形態）
前記各実施形態では、連携状態に設定されている情報端末３ａ，３ｂの一方にログアウト指示が入力された場合、他方の情報端末のログイン状態を如何にするかという点については言及していない。この点につき、例えば、一方の情報端末にログアウト指示が入力されると、他方の情報端末も自動的にログアウトする構成とすることができる。この場合、両方の情報端末３ａ，３ｂのログアウトを行いたいときに、各情報端末３ａ，３ｂでそれぞれログアウト指示の入力を行う必要が無くなるため、連携表示システム１の利便性を向上することができる。
【０１３８】
しかし、例えば、情報端末３ａ，３ｂを連携させたものの、後でログインさせた方の情報端末の表示画面が比較的大きく、前述のような分割を行わなくてもその情報端末にのみ表示させる状態で視認性は十分であるので、先にログインした、表示画面が小さい方の情報端末だけをログアウトさせたいというシチュエーションが想定される。このような場合、前述の自動ログアウト構成では、表示を継続させたい表示画面が大きい方の情報端末においてもその表示が消え、両情報端末３ａ，３ｂがログアウトした後に、表示画面が大きい方の情報端末において、遠隔操作用アプリケーションを起動させる操作やログイン操作を行わなければならず、操作性の観点から好ましいとはいえない。
【０１３９】
そこで、一方の情報端末３ａを画像処理装置２からログアウトさせる指示があった場合、他方の情報端末３ｂについてはログアウトするか否かをユーザの指示に基づいて決定するように構成すればよい。以下、この処理について説明する。なお、この構成は、第１及び第２の実施形態のいずれにも採用可能である。
【０１４０】
情報端末３ａにおいて、遠隔操作用アプリケーション実行部３２は、ユーザからログアウト指示が入力された場合、例えば図２８に示すような確認画面Ｇ１６を表示部２８に表示する。図２８に示す確認画面Ｇ１６は、情報端末３ａにおいてログアウト指示がユーザにより入力された場合に、他方の情報端末３ｂもログアウトするか否かをユーザに確認する画面とされており、ログアウトする旨を入力するためのＹＥＳボタンＢ１と、ログアウトしない旨を入力するためのＮＯボタンＢ２とを有する。そして、いずれかのボタンが操作されると、遠隔操作用アプリケーション実行部３２は、操作されたボタンを画像処理装置２に通知する。
【０１４１】
画像処理装置２の制御部１１は、ＹＥＳボタンＢ１が操作された場合は、情報端末３ａ，３ｂをいずれも当該画像処理装置２からログアウトさせる処理を行う。一方、ＮＯボタンＢ２が操作された場合は、制御部１１は、情報端末３ａのみを当該画像処理装置２からログアウトさせる処理を行う一方、情報端末３ｂはログイン状態を継続させる。
【０１４２】
ここで、情報端末３ｂのログイン状態を継続させる場合、ＮＯボタンＢ２が操作される直前の画面をその情報端末３ｂに引き続き表示させるようにしてもよいが、情報端末３ａが非連携状態で画像処理装置２にログインしているときに表示していたリモート操作画面を情報端末３ｂに表示させる構成とするのがより好ましい。
【０１４３】
次に、本実施形態において画像処理装置２及び情報端末３ａ，３ｂで行われる処理手順について説明する。図２９は、該処理手順を示すフローチャートである。
【０１４４】
図２９（ａ）〜（ｃ）に示すように、情報端末３ａにおいてユーザによりログアウトの指示がなされると（ステップＳ２０１でＹＥＳ）、遠隔操作用アプリケーション実行部３２は、図２８に示すような確認画面Ｇ１６を表示する（ステップＳ２０２）。この確認画面Ｇ１６において、ＹＥＳボタンＢ１及びＮＯボタンＢ２のうちいずれかのボタンが操作されると（ステップＳ２０３でＹＥＳ）、遠隔操作用アプリケーション実行部３２は、操作されたボタンを画像処理装置２に通知する（ステップＳ２０４）。
【０１４５】
画像処理装置２において、制御部１１は、情報端末３ａからその通知を受け取ると（ステップＳ２０５でＹＥＳ）、その通知が示すボタンを認識する処理を行う。その結果、制御部１１は、ＹＥＳボタンＢ１であると判断した場合には（ステップＳ２０６でＹＥＳ）、情報端末３ｂにログアウト要求を行い（ステップＳ２０７）、両情報端末３ａ，３ｂとの接続状態（ログイン状態）を解除するログアウト処理を行う（ステップＳ２０８）。これに伴い、情報端末３ａの遠隔操作用アプリケーション実行部３２は、画像処理装置２へのログイン状態を解除するログアウト処理を行う（ステップＳ２０９）。また、情報端末３ｂにおいて画像処理装置２からログアウト要求があると（ステップＳ２１０でＹＥＳ）、遠隔操作用アプリケーション実行部３２は、画像処理装置２へのログイン状態を解除するログアウト処理を行う（ステップＳ２１１）。
【０１４６】
一方、ステップＳ２０６において、制御部１１は、ＮＯボタンＢ２であると判断した場合には（ステップＳ２０６でＮＯ）、情報端末３ａとの接続状態（ログイン状態）のみを解除するログアウト処理を行う（ステップＳ２０８）。これに伴い、情報端末３ａの遠隔操作用アプリケーション実行部３２は、画像処理装置２へのログイン状態を解除するログアウト処理を行う（ステップＳ２０９）。
【０１４７】
このように、本実施形態では、連携状態において一方の情報端末３ａでログアウト指示が入力された場合には、他方の情報端末３ｂについてのログアウトの要否をユーザに確認するようにしたので、前述のような問題が生じるのを回避することができる。
【０１４８】
なお、ここでは、他方の情報端末３ｂに係るログアウトの要否についてユーザから回答を得た上でログアウト処理を行っているが、先にログアウト指示が入力された方の情報端末のログアウト処理を行った後、他方の情報端末３ｂに係るログアウトの要否についてユーザから回答（指示）を得るべく確認画面Ｇ１６を他方の情報端末３ｂに表示するようにしてもよい。
【０１４９】
以上、本発明に関する好ましい実施形態について説明したが、本発明は上述した内容のものに限られるものではなく、種々の変形例が適用可能である。以下、いくつかの変形例について説明する。
【０１５０】
（１）第１の実施形態等に係る一時的な識別情報（ログインパスワード）を用いた同一ユーザ識別方法は、同一ユーザ識別方法としてより好ましい方法であるが、採用し得る同一ユーザ識別方法は、これに限られるものではない。
【０１５１】
すなわち、本発明は、ログインパスワードを用いず、画像処理装置２が、情報端末３ａで入力された通常のユーザ情報（ログインＩＤ及びログインパスワード）と、情報端末３ｂで入力された通常のユーザ情報とが一致していることを以て、各情報端末３ａ，３ｂのユーザが同一ユーザであることを認識する形態も含む。
【０１５２】
（２）第１及び第２の実施形態等においては、情報端末３ａが他の情報端末３ｂから一時的な識別情報を受信すると、ユーザの操作を介することなく該識別情報を別の情報端末３ｂに送信する所謂自動転送方式を採用したが、本発明は、これに限定されるものではなく、例えば、ユーザの手を介した次のような形態も考えられる。
【０１５３】
例えば、情報端末３ａが画像処理装置２から一時的な識別情報を受信すると、該情報端末３ａは、その識別情報を表示部２８に表示する。ユーザは、情報端末３ａのユーザと同一ユーザとして別の情報端末３ｂを画像処理装置２にログインさせる際、情報端末３ａに表示されている識別情報を見ながら情報端末３ｂに該識別情報を入力する形態が考えられる。
【０１５４】
この他、情報端末３ａが画像処理装置２から一時的な識別情報を受信すると、該情報端末３ａは、情報端末３ｂを検知したときに、該識別情報を情報端末３ｂに送信するか否かをユーザに尋ねる画面を自機の表示部２８に表示させ、識別情報を情報端末３ｂに送信する旨の指示がユーザにより入力されると、該識別情報を情報端末３ｂに送信する形態も考えられる。
【０１５５】
（３）第１の実施形態等においては、情報端末３ａと情報端末３ｂとが近距離無線通信でワンタイムパスワードの送受信を行うようにしたが、これに限定されるものではなく、本発明は、ネットワーク通信でワンタイムパスワードの授受を行う形態も含む。
【０１５６】
（４）前記実施形態では、画像処理装置２がスキャン機能、プリント機能及びＢＯＸ機能などの複数の機能を備えるＭＦＰなどで構成される装置である場合を例示した。しかし、本発明における画像処理装置は、必ずしもＭＦＰなどのような複数の機能を備えた装置に限られるものではない。
【０１５７】
例えば本発明における画像処理装置は、原稿を読み取って生成した画像データをネットワーク経由で外部に送信する機能を備えたスキャナ専用機、或いは、ネットワークを介して外部から受信する画像データに基づいて印刷出力を行う機能を備えたプリンタ専用機であっても構わない。また、画像処理装置２は、オフィス内のＬＡＮなどに接続されたネットワークストレージであっても構わない。
【０１５８】
（５）第１の実施形態等では、情報端末３ａ，３ｂとして、タブレット端末やスマートフォン、或いはノート型パーソナルコンピュータなどで構成される可搬型の情報端末装置を想定したが、これに限らず、デスクトップ型パーソナルコンピュータなどで構成される固定設置型の情報端末装置でもよい。
【符号の説明】
【０１５９】
１  連携表示システム
２  画像処理装置
３，３ａ，３ｂ  情報端末
８  操作パネル
１１  制御部（確認手段）
１７  第１認証部（ユーザ認証手段）
１８  パスワード発行部（識別情報生成手段）
１９  リモート操作画面生成部（リモート操作画面生成手段）
２０  情報通信部（切断手段）
２１  第２認証部（ユーザ認証手段）
２３  パスワード通信部（識別情報生成手段）
２４  リモート操作画面送信部（リモート操作画面生成手段）
２５  ユーザ情報受信部（ユーザ認証手段）
２８  表示部（リモート操作画面表示手段）
３２  遠隔操作用アプリケーション実行部（リモート操作画面表示制御手段）
３４  ユーザ情報送信部（ログイン要求手段）
３５  リモート操作画面受信部（リモート操作画面受信手段）
３６  ワンタイムパスワード送受信部（識別情報送信手段、識別情報受信手段）
３８  サーバ（他の通信機器の一例）
３９  サーバ情報受信部（アクセス情報取得手段）
４０  ジョブ移管処理部（処理実行手段）
【図１】
2014197361.tif 000003
【図２】
2014197361.tif 000004
【図３】
2014197361.tif 000005
【図４】
2014197361.tif 000006
【図５】
2014197361.tif 000007
【図６】
2014197361.tif 000008
【図７】
2014197361.tif 000009
【図８】
2014197361.tif 000010
【図９】
2014197361.tif 000011
【図１０】
2014197361.tif 000012
【図１１】
2014197361.tif 000013
【図１２】
2014197361.tif 000014
【図１３】
2014197361.tif 000015
【図１４】
2014197361.tif 000016
【図１５】
2014197361.tif 000017
【図１６】
2014197361.tif 000018
【図１７】
2014197361.tif 000019
【図１８】
2014197361.tif 000020
【図１９】
2014197361.tif 000021
【図２０】
2014197361.tif 000022
【図２１】
2014197361.tif 000023
【図２２】
2014197361.tif 000024
【図２３】
2014197361.tif 000025
【図２４】
2014197361.tif 000026
【図２５】
2014197361.tif 000027
【図２６】
2014197361.tif 000028
【図２７】
2014197361.tif 000029
【図２８】
2014197361.tif 000030
【図２９】
2014197361.tif 000031